(57)【要約】【課題】開口部に天井や床からの出っ張りとなる構造部材を設けることなく必要強度が得られるようにし、圧迫感がなく、居住者に開放的な空間を得る。【解決手段】戸境壁１は、耐力壁であり、その上部に設けた梁２１の幅は、戸境壁１の壁厚と同じであり、戸境壁１から梁が横方向に突出しないようにしてある。戸境壁１の中央部には、戸境壁１に対して直角に壁柱２５が平行に設けてあり、戸境壁１とでＨ型の補強構造体５を構成する。開口側のスラブ４は戸境壁１と補強構造体５に支持され、天井及び床の高さ方向に突出する部材がないので、開放的な空間が得られる。壁柱２５は、全ての戸境壁１には設けず、一つおきに設置して空間を大きく取れるようにし、間取りの自由度を大きくする。【選択図】図１
2006045962.tif 000002
【特許請求の範囲】
【請求項１】
住戸を横方向に連接した集合住宅において、戸境が耐力壁であり、戸境の中央部に補強構造体を設け、スラブが戸境の耐力壁と補強構造体によって支持されている建築物。
【請求項２】
請求項１において、補強構造体が戸境の耐力壁に直角に設けた２つの壁柱である建築物。
【請求項３】
請求項１において、補強構造体が耐力壁を四角形に配置したコア構造体である建築物。
【請求項４】
請求項１または２のいずれかにおいて、戸境の耐力壁には、壁厚と同じ幅の梁が設けてある建築物。
【発明の詳細な説明】
【技術分野】
【０００１】
この発明は、鉄筋コンクリート造または鉄骨鉄筋コンクリート造の住戸を横方向に連接した集合住宅において、開口面に突出する部材を設けず、採光、換気に優れ、居住者に開放感を与えるようにした建築物に関する。
【背景技術】
【０００２】
従来、鉄筋コンクリート造や鉄骨鉄筋コンクリート造の建築物は、図４に示す柱３と梁２とからなるラーメン構造が一般的であるが、必要強度を得るために梁幅や梁成が大きくなって梁が室内側に突出することになり、開口の高さが制限されて開口部を大きく取ることができず、居住者に対して圧迫感を与え、開放感に欠けると共に採光、換気が十分でないという問題がある。
【０００３】
このような問題を解決するため、フラットスラブ構造が提案されているが、フラットスラブは、水平力も負担する梁兼用のものであり、かなり厚いものとならざるを得ず、コストがかかるという問題がある。また、図５に示す逆梁の構造も提案されているが、全面的な開口部がとれるものではない。
特許文献３（特開２００２−１２１９２４）には、集合住宅建物として、建物中心部に耐震壁からなる高剛性のコア補強構造体５を設け、補強構造体５の周囲に跳ね出しスラブを設け、スラブ４を支持させるものが提案されているが、建物外周部にはスラブ４を受ける梁２を必要とするので、大きな開口を得ることができなかった。（図６参照）
【特許文献１】特公平５−８４３３５号公報
【特許文献２】特公平４−２８０６４号公報
【特許文献３】特開２００２−１２１９２４号公報
【発明の開示】
【発明が解決しようとする課題】
【０００４】
この発明の目的は、開口部に天井や床からの出っ張りとなる大きな断面の構造部材を設けることなく構造物としての必要強度が得られるようにし、その結果、圧迫感がなく、居住者に開放的な空間であると感じさせるようにするものである。
【課題を解決するための手段】
【０００５】
鉄筋コンクリート造または鉄骨鉄筋コンクリート造の集合住宅であって、各戸を仕切る戸境壁及び各戸の中央部に配置した補強構造体を設けることによってスラブを受け、大きな開口を設定できるようにしたものである。
スラブは、戸境壁と補強構造体及びそこから延びる梁に支持されるので建築物の開口部側には突出部材が存在せず、かつ床面にも突出する部材が存在しないので、フラットな天井とフラットな床で構成される空間が形成され、間取りの自由度が増加すると共に開放感を与える建築物とすることができる。
耐力壁である戸境壁の厚さとその上下に設けた梁の幅を同じにした場合、戸境壁から梁が突出していないので空間を広く利用することができる。
【発明を実施するための最良の形態】
【０００６】
実施例に基づいて本発明を説明する。
実施例１
図１に平面躯体構造と正面図を示すように、建築物は、鉄筋コンクリート造または鉄骨鉄筋コンクリート造の集合住宅であり、住戸が壁を境にして連続しているタイプである。この実施例は、１０階建て程度までを想定したものであるが、それを超える階高の建築物にも適用可能である。
【０００７】
戸境壁１は、壁厚２００〜３００ｍｍの耐力壁であり、その上部に設けた梁２１の幅は、戸境壁１の壁厚と同じであり、戸境壁１から梁が横方向に突出しないようにしてあり、両端には柱３１、３２が設けてある。
更に、開口側の柱３１、３１の間には梁が設けてなく、スラブ４は、戸境壁１と壁柱２１及び、梁２２に支持されており、天井及び床の高さ方向に部材が突出することがなく、開放的な空間が得られる。開口側の梁を省略したことによる強度低下は、構造物全体として補償されるように設計するものであるが、適宜の手段、例えば、高強度鉄筋の使用や、鉄筋量の増加によって補強する。
【０００８】
戸境壁１の中央部には、戸境壁１に対して直角に壁柱２５が平行に設けてあり、戸境壁１とでＨ型の補強構造体５を構成する。この壁柱２５は、全ての戸境壁１には設けず、一つおきに設置して空間を大きく取れるようにし、間取りの自由度を大きくしている。この壁柱２５の延長方向に梁２２が他方の戸境壁１まで設けてある。
【０００９】
図２に示すように、スラブ４は、構造的には、戸境壁１、１の上に設けた梁２１、壁柱２５から延びる梁２２によって三方支持されているとして設計する。
この実施例では、一方の開口部（ベランダ側）にはスラブ４から突出する梁を設けず、ベランダと反対側の開口部にスラブ厚よりも梁成の大きな梁２２が設けてあるが、両方ともに、梁がスラブより突出しないものとしてもよい。
このような躯体構造とすることによって、横方向力は耐力壁１、梁２１、壁柱２５及び梁２２で受け、スラブ厚をフラットスラブより薄いものとすることができ、低コストで開放感のある建物を構築することができる。
【００１０】
実施例２
図３に示すように、戸境に設けた補強構造体５が耐力壁を四角形に構成したコア構造体であり、この補強構造体５が建築物に作用する外力に対抗できるようにしてある。開口側の柱３１の間に柱３６を設け、その間には梁２２を設けてあるので、この部分には梁２２が天井から突出するが、和室にするなどして対処することができる。
反対側の開口部は逆梁２４とし、天井から梁が突出しないようにして全体的には、開放感のある住環境が提供できるようにしたものである。
【産業上の利用可能性】
【００１１】
鉄筋コンクリート造または鉄骨鉄筋コンクリート造の集合住宅において、鉄筋コンクリート造または鉄骨鉄筋コンクリート造の集合住宅であって、各戸を仕切る戸境壁及び各戸の中央部に配置した中央耐力壁によってスラブを受け、開口部側には梁を設けず、大きな開口を設定できるようにしたものである。
スラブは、戸境壁と中央耐力壁に支持されるので建築物の開口部側には梁が突出せず、かつ床面にも突出する部材が存在しないので、フラットな天井とフラットな床で構成される空間が形成され、間取りの自由度が増加すると共に開放感を与える建築物とすることができる。
【図面の簡単な説明】
【００１２】
【図１】本発明の実施例１の構造躯体の平面及び正面図。
【図２】本発明の実施例１の構造躯体の断面図。
【図３】本発明の実施例２の構造躯体の平面及び正面図。
【図４】従来のラーメン構造の建築物の平面及び正面図。
【図５】従来の逆梁構造の透視図。
【図６】コア構造体を有する従来技術の構造躯体の平面及び断面図。
【符号の説明】
【００１３】
１  戸境壁
２  梁
３  柱
４  スラブ
５  補強構造体
【図１】
2006045962.tif 000003
【図２】
2006045962.tif 000004
【図３】
2006045962.tif 000005
【図４】
2006045962.tif 000006
【図５】
2006045962.tif 000007
【図６】
2006045962.tif 000008